(57)【要約】【課題】  従来の浴室用椅子や家庭用軟水化装置は、それ単体の什器としての機能しかなく、手狭な浴室等にそれらを設置すると限られた部屋空間を有効に活用することが困難であった。【解決手段】  浴槽、温水器、洗面台、蛇口、シャワー、シャワータワー、ミストノズル、カウンター及び給水・排水配管などを備えた浴室ユニットにおいて、上流に繋がる給水配管接続部と下流に繋がる給水配管接続部とを浴室ユニット内面にそれぞれ適宜設けるとともに、上面を座面に形成した可搬可能な筐体内部に軟水化装置を固着し、かつその軟水化装置への流入口と上流に繋がるその給水配管部とを屈曲性のある配管で連通・連結せしめる接続機構を設け、さらにその軟水化装置からの流出口と下流に繋がるその給水配管部とを屈曲性のある配管で連通・連結する接続機構を設けている。【選択図】図１
2010167238.tif 000002
【特許請求の範囲】
【請求項１】
浴槽、温水器、洗面台、蛇口、シャワー、シャワータワー、ミストノズル、カウンター及び給水・排水配管などを備えた浴室ユニットにおいて、上流に繋がる当該給水配管接続部と下流に繋がる当該給水配管接続部とを浴室ユニット内面にそれぞれ適宜設けるとともに、上面を座面に形成した可搬可能な筐体内部に軟水化装置を固着し、かつ当該軟水化装置への流入口と上流に繋がる当該給水配管部とを屈曲性のある配管で連通・連結せしめる接続機構を設け、さらに当該軟水化装置からの流出口と下流に繋がる当該給水配管部とを屈曲性のある配管で連通・連結する接続機構を設けたことを特徴とする浴室用椅子機能を備えた椅子兼軟水化装置
【請求項２】
浴槽、温水器、洗面台、蛇口、シャワー、シャワータワー、ミストノズル、カウンター及び給水・排水配管などを備えた浴室ユニットにおいて、上流に繋がる当該給水配管接続部を浴室ユニット内面に適宜設けるとともに、上面を座面に形成した可搬可能な筐体内部に軟水化装置を固着し、かつ当該軟水化装置への流入口と上流に繋がる当該給水配管部とを屈曲性のある配管で連通・連結せしめる接続機構を設け、さらに当該軟水化装置からの流出口とハンドシャワーに繋がる当該給水配管部とを屈曲性のある配管で連通・連結する接続機構を設けたことを特徴とする浴室用椅子機能を備えた椅子兼軟水化装置
【請求項３】
可搬可能な当該筐体内側の空間部に当該軟水化装置を脱着自在に装着したことを特徴とする請求項第１項または請求項第２項記載の浴室用椅子機能を備えた椅子兼軟水化装置
【発明の詳細な説明】
【発明の詳細な説明】
【技術分野】
【０００１】  この発明は、浴室などで使用される浴室用椅子機能と軟水化機能を備えた椅子兼軟水化装置に関するものである。
【従来の技術および発明が解決しようとする課題】
【０００２】  可搬型家庭用軟水化装置は既に軟水化機能を備えたもので商品化され市場に出回っているが、この軟水化装置により作られた軟水は、風呂、洗顔、洗髪、洗濯、調理、炊飯などの生活用水として使用されている。このうち浴室、洗面室などの部屋に設置された軟水化装置は、風呂、洗顔、洗髪時などに軟水化された給水を提供し生活者の美容と健康に寄与している。
【０００３】  ところが、従来の軟水化装置を備えた浴室等の設置場所では、たとえ可搬型の軟水化装置といえどもそれを設置するとなるとそれ相当の容積を占め、限られた部屋空間を有効に活用することが困難になりつつあった。
【０００４】  本発明は前述の欠点を解消するためになされたものであり、その目的は一つの什器に二つの機能を持たせる、つまり浴槽外で体表面を着座して洗うときに使用する浴室用椅子と軟水化装置とを一体に形成させることにより浴室等の限られた生活空間を有効に活用できるようにするものである。
【課題を解決するための手段】
【０００５】  本発明の浴室用椅子機能を備えた椅子兼軟水化装置は、前述の目的を達成するために次の構成からなる。請求項１に記載の発明に係わる浴室用椅子機能を備えた椅子兼軟水化装置は、上流に繋がる当該給水配管接続部と下流に繋がる当該給水配管接続部を当該浴室ユニット内面にそれぞれ適宜設けるとともに、上面を座面に形成した可搬可能な筐体内部に軟水化装置を固着し、当該軟水化装置への流入口と上流に繋がる当該給水配管部とを屈曲性のある配管で連通・連結せしめる機構を設ける。さらに当該軟水化装置からの流出口と下流に繋がる当該給水配管部とを屈曲性のある配管で連通・連結する接続機構を設けた構造としている。
【０００６】  また請求項２に記載の本発明の浴室用椅子機能を備えた椅子兼軟水化装置は、前述の目的を達成するために次の構成からなる。本装置は、上流に繋がる当該給水配管接続部を浴室ユニット内面に適宜設けるとともに、上面を座面に形成した可搬可能な筐体内部に軟水化装置を固着し、かつ当該軟水化装置への流入口と上流に繋がる当該給水配管部とを屈曲性のある配管で連通・連結せしめる機構を設ける。さらに当該軟水化装置からの流出口とハンドシャワーに繋がる当該給水配管部とを屈曲性のある配管で連通・連結する接続機構を設けた構造としている。
【０００７】  また請求項３に記載の本発明の浴室用椅子機能を備えた椅子兼軟水化装置は、前述の目的を達成するために次の構成からなる。本装置は、可搬可能な当該筐体内側の空間部に当該軟水化装置を脱着自在に装着した構造としている。つまり浴室用椅子と軟水化装置を浴室内で別々の什器として使用することも可能な構造としている。
【発明の実施の態様】
【０００８】  以下、本発明に係る浴室用椅子機能を備えた椅子兼軟水化装置の実施の形態を図面に基づいて説明する。
【０００９】  図１、図２及び図３は、本発明に係る浴室用椅子機能を備えた椅子兼軟水化装置の一つの実施例を示すものであるが、これに限定されるものではない。
【００１０】  図１に示す本発明は、上流に繋がる給水配管部であるところの給水吐水口２と当該軟水化装置１への流入口３に連通・結線したホース４をパッキン付き継ぎ手５で連通・結線し、さらに当該軟水化装置１からの流出口６に連通・結線したホース７をパッキン付き継手８で下流に繋がる給水配管部であるところの軟水供給口９に連通・結線した構造としている。さらに当該軟水化装置１は、略下腿長に近い座高と当該上面を座面に形成した筐体１０内部に固着した構造としている。この場合にも屈曲性のある配管としてホースを使用しているが、ホースに限定されるものではない。なお、給水が行われている際にも本椅子兼軟水化装置の取り付け・取り外しができるよう適宜上流に繋がる給水配管部に流水開閉バルブを設けることもできる。
【００１１】  図２に示す本発明は、上流に繋がる給水配管部であるところのシャワー取り付け口（混合栓）１１に当該軟水化装置１への流入口３に連通・結線したホース４をパッキン付き継ぎ手５で連通・結線し、さらに当該軟水化装置１からの流出口６に連通・結線したハンドシャワー１２をパッキン付き継ぎ手８で連通・結線した構造としている。さらに当該軟水化装置１は、略下腿長に近い座高と当該上面を座面に形成した筐体１０内部に固着した構造としている。この場合にも屈曲性のある配管としてホースを使用しているが、ホースに限定されるものではない。なお、給水が行われている際にも本椅子兼軟水化装置の取り付け・取り外しができるよう適宜上流に繋がる給水配管部に流水開閉バルブを設けることもできる。
【００１２】  図３に示す本発明においては、筐体１０は略下腿長に近い高さと臀部と略同等な面積を有する上面を座面に形成し、筐体内側には嵌合可能に形成した軟水化装置１を埋設せしめる容積を備えた空間部を設けるとともに、筐体側面には開口部を設け、その側面から軟水化装置１を着脱自在に装着できる構造としている。なお、軟水化装置１を筐体１０に着脱自在に装着するための開口部は、側面だけではなく座面や下面に設けることもできる。
【発明の効果】
【００１３】  以上の記載内容から明確なように、本発明に係わる浴室用椅子機能を備えた椅子兼軟水化装置によれば、次の効果がある。
【００１４】  請求項１ないし請求項３に記載した浴室用椅子機能を備えた椅子兼軟水化装置は、一つの什器で浴室用椅子機能と軟水化装置の機能を備えた什器となっていることからも明らかなように、浴室でのこれらの什器の占める容積を減少させている。さらに本装置と給水配管部とを屈曲性のある配管で連通・連結しているので、本装置の設置場所内での設置位置変更にはさほどの労力も要しない。
【００１５】  さらに請求項３に記載した浴室用椅子機能を備えた椅子兼軟水化装置は、可搬可能な当該筐体内側の空間部に当該軟水化装置を脱着自在に装着していることから、浴室用椅子と軟水化装置を浴室内でそれ単体の機能を有するものとして使用することも可能な構造としている。
【図面の簡単な説明】
【００１６】
【図１】  本発明に係る浴室用椅子機能を備えた椅子兼軟水化装置の一つの実施形態を示す斜視図である。
【図２】  本発明に係る浴室用椅子機能を備えた椅子兼軟水化装置の別の実施形態を示す斜視図である。
【図３】  本発明に係る浴室用椅子兼軟水化装置を可搬可能な筐体内側の空間部に着脱自在に装着した構造を示す斜視図である。
【符号の説明】
【００１７】  １  軟水化装置
２  給水吐出口
３  軟水化装置への流入口
４  軟水化装置への流入口に連通・結線したホース
５  パッキン付き継手
６  軟水化装置からの流出口
７  軟水化装置からの流出口に連通・結線したホース
８  パッキン付き継手
９  軟水供給口
１０  筐体
１１  シャワー取り付け口
１２  ハンドシャワー
【図１】
2010167238.tif 000003
【図２】
2010167238.tif 000004
【図３】
2010167238.tif 000005
【手続補正書】
【提出日】平成21年4月8日(2009.4.8)
【手続補正１】
【補正対象書類名】明細書
【補正対象項目名】全文
【補正方法】追加
【補正の内容】
【発明の詳細な説明】
【技術分野】
【０００１】  この発明は、浴室などで使用される浴室用椅子機能と軟水化機能を備えた椅子兼軟水化装置に関するものである。
【従来の技術および発明が解決しようとする課題】
【０００２】  可搬型家庭用軟水化装置は既に軟水化機能を備えたもので商品化され市場に出回っているが、この軟水化装置により作られた軟水は、風呂、洗顔、洗髪、洗濯、調理、炊飯などの生活用水として使用されている。このうち浴室、洗面室などの部屋に設置された軟水化装置は、風呂、洗顔、洗髪時などに軟水化された給水を提供し生活者の美容と健康に寄与している。
【０００３】  ところが、従来の軟水化装置を備えた浴室等の設置場所では、たとえ可搬型の軟水化装置といえどもそれを設置するとなるとそれ相当の容積を占め、限られた部屋空間を有効に活用することが困難になりつつあった。
【０００４】  本発明は前述の欠点を解消するためになされたものであり、その目的は一つの什器に二つの機能を持たせる、つまり浴槽外で体表面を着座して洗うときに使用する浴室用椅子と軟水化装置とを一体に形成させることにより浴室等の限られた生活空間を有効に活用できるようにするものである。
【課題を解決するための手段】
【０００５】  本発明の浴室用椅子機能を備えた椅子兼軟水化装置は、前述の目的を達成するために次の構成からなる。請求項１に記載の発明に係わる浴室用椅子機能を備えた椅子兼軟水化装置は、上流に繋がる当該給水配管接続部と下流に繋がる当該給水配管接続部を当該浴室ユニット内面にそれぞれ適宜設けるとともに、上面を座面に形成した可搬可能な筐体内部に軟水化装置を固着し、当該軟水化装置への流入口と上流に繋がる当該給水配管部とを屈曲性のある配管で連通・連結せしめる機構を設ける。さらに当該軟水化装置からの流出口と下流に繋がる当該給水配管部とを屈曲性のある配管で連通・連結する接続機構を設けた構造としている。
【０００６】  また請求項２に記載の本発明の浴室用椅子機能を備えた椅子兼軟水化装置は、前述の目的を達成するために次の構成からなる。本装置は、上流に繋がる当該給水配管接続部を浴室ユニット内面に適宜設けるとともに、上面を座面に形成した可搬可能な筐体内部に軟水化装置を固着し、かつ当該軟水化装置への流入口と上流に繋がる当該給水配管部とを屈曲性のある配管で連通・連結せしめる機構を設ける。さらに当該軟水化装置からの流出口とハンドシャワーに繋がる当該給水配管部とを屈曲性のある配管で連通・連結する接続機構を設けた構造としている。
【０００７】  また請求項３に記載の本発明の浴室用椅子機能を備えた椅子兼軟水化装置は、前述の目的を達成するために次の構成からなる。本装置は、可搬可能な当該筐体内側の空間部に当該軟水化装置を脱着自在に装着した構造としている。つまり浴室用椅子と軟水化装置を浴室内で別々の什器として使用することも可能な構造としている。
【発明の実施の態様】
【０００８】  以下、本発明に係る浴室用椅子機能を備えた椅子兼軟水化装置の実施の形態を図面に基づいて説明する。
【０００９】  図１、図２及び図３は、本発明に係る浴室用椅子機能を備えた椅子兼軟水化装置の一つの実施例を示すものであるが、これに限定されるものではない。
【００１０】  図１に示す本発明は、上流に繋がる給水配管部であるところの給水吐水口２と当該軟水化装置１への流入口３に連通・結線したホース４をパッキン付き継ぎ手５で連通・結線し、さらに当該軟水化装置１からの流出口６に連通・結線したホース７をパッキン付き継手８で下流に繋がる給水配管部であるところの軟水供給口９に連通・結線した構造としている。さらに当該軟水化装置１は、略下腿長に近い座高と当該上面を座面に形成した筐体１０内部に固着した構造としている。この場合にも屈曲性のある配管としてホースを使用しているが、ホースに限定されるものではない。なお、給水が行われている際にも本椅子兼軟水化装置の取り付け・取り外しができるよう適宜上流に繋がる給水配管部に流水開閉バルブを設けることもできる。
【００１１】  図２に示す本発明は、上流に繋がる給水配管部であるところのシャワー取り付け口（混合栓）１１に当該軟水化装置１への流入口３に連通・結線したホース４をパッキン付き継ぎ手５で連通・結線し、さらに当該軟水化装置１からの流出口６に連通・結線したハンドシャワー１２をパッキン付き継ぎ手８で連通・結線した構造としている。さらに当該軟水化装置１は、略下腿長に近い座高と当該上面を座面に形成した筐体１０内部に固着した構造としている。この場合にも屈曲性のある配管としてホースを使用しているが、ホースに限定されるものではない。なお、給水が行われている際にも本椅子兼軟水化装置の取り付け・取り外しができるよう適宜上流に繋がる給水配管部に流水開閉バルブを設けることもできる。
【００１２】  図３に示す本発明においては、筐体１０は略下腿長に近い高さと臀部と略同等な面積を有する上面を座面に形成し、筐体内側には嵌合可能に形成した軟水化装置１を埋設せしめる容積を備えた空間部を設けるとともに、筐体側面には開口部を設け、その側面から軟水化装置１を着脱自在に装着できる構造としている。なお、軟水化装置１を筐体１０に着脱自在に装着するための開口部は、側面だけではなく座面や下面に設けることもできる。
【発明の効果】
【００１３】  以上の記載内容から明確なように、本発明に係わる浴室用椅子機能を備えた椅子兼軟水化装置によれば、次の効果がある。
【００１４】  請求項１ないし請求項３に記載した浴室用椅子機能を備えた椅子兼軟水化装置は、一つの什器で浴室用椅子機能と軟水化装置の機能を備えた什器となっていることからも明らかなように、浴室でのこれらの什器の占める容積を減少させている。さらに本装置と給水配管部とを屈曲性のある配管で連通・連結しているので、本装置の設置場所内での設置位置変更にはさほどの労力も要しない。
【００１５】  さらに請求項３に記載した浴室用椅子機能を備えた椅子兼軟水化装置は、可搬可能な当該筐体内側の空間部に当該軟水化装置を脱着自在に装着していることから、浴室用椅子と軟水化装置を浴室内でそれ単体の機能を有するものとして使用することも可能な構造としている。
【図面の簡単な説明】
【００１６】
【図１】  本発明に係る浴室用椅子機能を備えた椅子兼軟水化装置の一つの実施形態を示す斜視図である。
【図２】  本発明に係る浴室用椅子機能を備えた椅子兼軟水化装置の別の実施形態を示す斜視図である。
【図３】  本発明に係る浴室用椅子兼軟水化装置を可搬可能な筐体内側の空間部に着脱自在に装着した構造を示す斜視図である。
【符号の説明】
【００１７】  １  軟水化装置
２  給水吐出口
３  軟水化装置への流入口
４  軟水化装置への流入口に連通・結線したホース
５  パッキン付き継手
６  軟水化装置からの流出口
７  軟水化装置からの流出口に連通・結線したホース
８  パッキン付き継手
９  軟水供給口
１０  筐体
１１  シャワー取り付け口
１２  ハンドシャワー